(57)【要約】      （修正有）【課題】貨物を積載したパレットの構造に応じて梱包バンドの巻回ルートを変更可能とした梱包装置の構造を提供する。【解決手段】機械１０、第一導引裝置２０、第二導引裝置３０及び延出構造で構成され、該機械１０の垂直枠部１２の上バンドガイド部１２１を挿通する梱包バンドを水平ローラー１１１上を水平に移送される貨物に対して、上下に位置の異なる下バンドガイド部１１２と中央バンドガイド部４２との間で切り替えるため、中央バンドガイド部４２を延出構造により梱包位置に延出させると共に第一導引裝置２０、第二導引裝置３０を回動させて梱包バンドを中央バンドガイド部４２にガイドして挿通させ、また、延出構造により梱包位置から後退させると共に第一導引裝置２０、第二導引裝置３０を逆に回動させて梱包バンドを下バンドガイド部１１２に挿通させて梱包する。【選択図】図１
0003228585.tif 000002
【実用新案登録請求の範囲】
【請求項１】
機械、第一導引裝置、第二導引裝置及び延出構造を含み、
上記機械に含まれるのは水平コンベアー、垂直枠部、第一枢接部及び第二枢接部であって、
該水平コンベアーに複数の水平ローラー及び下バンドガイド部を設けると共に該垂直枠部には上バンドガイド部を設け、
上記第一導引装置には、第一フレーム部、第一バンドガイド部及び第一駆動部を設けて、該第一フレーム部は一端を上記機械の第一枢接部に枢設すると共に該第一フレーム他端に第一バンドガイド部に設け、該第一駆動部を上記機械と該第一フレーム部の別端に枢接して該第一フレーム部を該第一枢接部を軸心として第一位置及び第二位置の間で回動可能とすることにより、該第一位置に位置するとき、該第一バンドガイド部は該下バンドガイド部及び該上バンドガイド部と連通させ、
上記第二導引装置には、第二フレーム部、第二バンドガイド部及び第二駆動部を設けて、該第二フレーム部は一端を上記機械の第二枢接部に枢設すると共に該第二フレーム部他端に該第二バンドガイド部を設け、該第二駆動部を上記機械と該第二フレーム部の別端に枢接して該第二枢接部を軸心として第二フレーム部を第三位置及び第四位置の間で回動可能とすることにより、該第三位置に位置するとき、該第二バンドガイド部は該下バンドガイド部及び該上バンドガイド部と連通させ、
上記延出構造は、中央バンドガイド部及び該中央バンドガイド部を格納位置と中央の梱包する延出位置まで進退させる該伸縮制御部を備え、
以上の構成により、上記第一フレーム部が第一位置に位置し、且つ第二フレーム部が第三位置に位置し、また該中央バンドガイド部が格納位置に位置するとき、下バンドガイド部、上バンドガイド部、第一バンドガイド部及び第二バンドガイド部は互いに連通して第一バンドガイドループルートを形成し、
該第一フレーム部が第二位置に位置し、第二フレーム部が第四位置に位置し、また中央バンドガイド部が延出位置に位置するとき、上バンドガイド部及び中央バンドガイド部は互いに連通して第二バンドガイドループルートを形成することを特徴とするパレット梱包装置の構造。
【請求項２】
前記第一フレーム部が第二位置に位置するとき、上記第一バンドガイド部は下バンドガイド部と上バンドガイド部との間から外れた位置にあり、
該第二フレーム部が該第四位置に位置するとき、該第二バンドガイド部は該下バンドガイド部と該上バンドガイド部との間から外れた位置にあることを特徴とする請求項１記載のパレット梱包装置の構造。
【請求項３】
前記該第一駆動部は電動ギアシリンダー、又は気圧シリンダーを備えたプッシュプル駆動装置であり、
該プッシュプル駆動装置に含まれるのは傾斜面部、プッシュ部及びリセット部であり、該傾斜面部は前記中央バンドガイド部に連結し、且つ中央バンドガイド部に隣接して前記機械の一端に面し、該プッシュ部は前記第一フレーム部に立設し、該リセット部は該機械と該第一フレーム部を連結し、
以上の構成により、該中央バンドガイド部が該格納位置から該延出位置に移動する過程において、該傾斜面部は同時に該プッシュ部を抵触して押し、該プッシュ部は該第一フレーム部を連動して、該第一フレーム部は該リセット部の引張力に抗して該第三位置から該第四位置に移動し、
該中央バンドガイド部が該延出位置から該格納位置に移動する過程において、該傾斜面部は同時に該プッシュ部から離れ、該リセット部の引張力により該第一フレーム部が引き戻されて該第四位置から該第三位置に復帰することを特徴とする請求項１記載のパレット梱包装置の構造。
【請求項４】
前記該リセット部は、伸長するスプリングとしたことを特徴とする請求項１記載のパレット梱包装置の構造。
【請求項５】
前記該第二駆動部は電動ギアシリンダー、気圧シリンダーのいずれかであることを特徴とする請求項１記載のパレット梱包装置の構造。
【考案の詳細な説明】
【技術分野】
【０００１】
本考案は一種のパレット梱包装置の構造に関し、特に異なる構造のパレットに対し、梱包バンドを異なるルートに巻回するよう切り替えて梱包することができ、また、パレットは機械に積載し直すことなく、切り替えて梱包することができる大変便利なパレット梱包装置の構造に関する。
【背景技術】
【０００２】
公知のパレットは基本的に二種類に分けられる。第一種は図１４に示すパレット９０のように一つの頂板９１のみを設置する。第二種は図１５に示すパレット９０のように、該頂板９１及び一つの底板９２を設置する。
【０００３】
第一種のパレット９０について、通常の梱包機を用いて貨物を引締める際、通常の引締めを行う、通常の引締め形態Ｋ１である。
【０００４】
第二種のパレット９０について、通常の梱包機を用いて貨物を引締める際、該底板９２の下方まで巻回する板下引締め形態Ｋ２になる可能性がある。この時、バンドガイド延伸部を具有する梱包機装置を使用してのみ、該頂板９１及び該底板９２の間にあるスペースを挿通することができ、そのスペースを通して行うのが挿通引締め形態Ｋ３である。
【０００５】
図１６に示すのは、従来のバンドガイド延伸部を具有する梱包機装置８０である(例えばアメリカ特許出願第３９４９６６２号)。それに含まれるのは、バンド供給部８１、バンドガイドフレーム８２、搬送ローラー部８３、スライダーユニット８４及びバンドガイド延伸部８５である。
【０００６】
上記バンド供給部８１は梱包バンドＮを供給する。
【０００７】
上記バンドガイドフレーム８２を経由して梱包バンドNが送給される。
【０００８】
搬送ローラー部８３は一つづつのパレット９０を積載し、該パレット９０は一つの頂板９１、一つの底板９２及び該頂板９１及び該底板９２の間にある一つの中央スペース９３を具有する(図１５を参照)。
【０００９】
スライダーユニット８４は一つのスライダー８４１、駆動部８４２、駆動棒８４３及びスライド台８４４を具有する。該スライド台８４４は該スライダー８４１の上を水平にスライドすることができ、且つ該駆動部８４２は該駆動棒８４３を介して、該スライド台８４４の移動位置を制御する。
【００１０】
バンドガイド延伸部８５は該スライド台８４４の上に設置する。該バンドガイド延伸部８５を前記パレット９０の中央スペース９３に挿通して移動することによって、該バンドガイドフレーム８２を経由して一巡する梱包バンドNの閉鎖ルートを形成し、梱包作業が完了する。
【００１１】
しかし、従来のバンドガイド延伸部を具有する梱包機の装置８０は、このような第三種のパレットにのみ梱包作業を行うことができ、第二種のパレットに対して梱包作業を行うよう切り替えることができないことを鑑みて、更なる改善が必要であった。
【先行技術文献】
【特許文献】
【００１２】
【特許文献１】アメリカ特許出願第３９４９６６２号
【特許文献２】特開２０１５−１２９０１７号公報
【特許文献３】特開２００２−９６８７６号公報
【考案の概要】
【考案が解決しようとする課題】
【００１３】
前記公知構造の問題は、公知パレットは基本的に二種類に分けられ、第一種のパレットは一つの頂板のみを設置し、第二種のパレットは該頂板及び一つの底板を設置し、該頂板及び底板の間に中央スペースを具有する。目下第一種のパレット及び第二種のパレットに対して切り替えて梱包を行える装置がない。その公知構造の問題を解決するため、本考案は異なるパレットに対し、異なるルートに切り替えて梱包することができ、及びパレットは機械から積載し直すことなく、梱包バンドの巻回ルートを切り替えることができる大変便利なメリットを具有するパレット梱包装置の構造を提供することを主な課題とする。
【課題を解決するための手段】
【００１４】
上述の目的を解決するために、本考案はパレット梱包装置の構造を提供するものである。それに含まれるのは機械、第一導引裝置、第二導引裝置及び延出構造である。該機械に含まれるのは一つの水平コンベアー、一つの垂直枠部、一つの第一枢接部及び一つの第二枢接部である。該水平コンベアーに複数の水平ローラー及び一つの下バンドガイド部を設け、該垂直枠部は一つの上バンドガイド部を設ける。
【００１５】
前記第一導引装置に含まれるのは一つの第一フレーム部、一つの第一バンドガイド部及び一つの第一駆動部である。該第一フレーム部は一端を該第一枢接部に枢設し、該第一バンドガイド部は該第一フレームの別端に設ける。該第一駆動部は該機械と該第一フレーム部の別端に枢接する。且つ該第一駆動部は該第一フレーム部を制御するのは、該第一枢接部を軸心とし、少なくとも第一位置及び第二位置にまで移動が可能である。該第一位置に位置するとき、該第一バンドガイド部は該下バンドガイド部及び該上バンドガイド部と連通する。
【００１６】
前記第二導引装置に含まれるのは一つの第二フレーム部、一つの第二バンドガイド部及び一つの第二駆動部である。該第二フレーム部は一端を第二枢接部に枢設し、該第二バンドガイド部は該第二フレーム部の別端に設ける。該第二駆動部は該機械と該第二フレーム部の別端に枢接する。且つ該第二駆動部は該第二フレーム部を制御するのは、該第二枢接部を軸心とし、少なくとも第三位置及び第四位置にまで移動が可能である。該第三位置に位置するとき、該第二バンドガイド部は該下バンドガイド部及び該上バンドガイド部と連通する。
【００１７】
前記延出構造に含まれるのは一つの伸縮制御部及び一つの中央バンドガイド部である。該伸縮制御部は該中央バンドガイド部を制御するために用いるものであり、少なくとも一つの格納位置及び一つの延出位置にまで移動する。
【００１８】
以上の構成により、該第一フレーム部が該第一位置に位置し、且つ該第二フレーム部が該第三位置に位置し、また該中央バンドガイド部が該格納位置に位置するとき、該下バンドガイド部、該上バンドガイド部、該第一バンドガイド部及び該第二バンドガイド部は互いに連通し、一つの第一バンドガイドループルートを形成する。且つ該第一フレーム部が該第二位置に位置し、該第二フレーム部が該第四位置に位置し、また該中央バンドガイド部が該延出位置に位置するとき、該上バンドガイド部及び該中央バンドガイド部は互いに連通し、一つの第二バンドガイドループルートを形成する。
【考案の効果】
【００１９】
本考案の設計により、異なるパレットに対し、異なるルートに切り替えて梱包することができ、また、パレットは機械から積載し直すことなく、切り替えることができる大変便利なパレット梱包装置の構造である。
【図面の簡単な説明】
【００２０】
【図１】本考案の略図である。
【図２】本考案の第一導引装置の第一実施例の略図である。
【図３】図２の動作過程の略図である。
【図４】本考案の第一導引装置の第二実施例の動作前の略図である。
【図５】本考案の第一導引装置の第二実施例の動作後の略図である。
【図６】本考案の第二導引装置の局部分解の略図である。
【図７】本考案の第二導引装置の動作過程の略図である。
【図８】本考案のバンドガイドの動作過程の断面図である。
【図９】本考案の第一バンドガイド部及び第二バンドガイド部が第一バンドガイドループルートに位置する略図である。
【図１０】本考案の第一バンドガイドループルートの略図である。
【図１１】本考案の第二バンドガイドループルートに切り替える動作前の略図である。
【図１２】本考案の第二バンドガイドループルートに切り替える動作後の略図である。
【図１３】本考案の第二バンドガイドループルートの略図である。
【図１４】第一種の公知パレットの引締め形態の略図である。
【図１５】第二種及び第三種の公知パレットの引締め形態の略図である。
【図１６】図１５の第三種の引締め形態の梱包装置の略図である。
【考案を実施するための形態】
【００２１】
以下、本考案の目的及び長所を、最良実施例と図面を参照しながら詳細に説明する。
【実施例１】
【００２２】
図１、図２、図３、図６、図７、図９、図１０、図１１、図１２及び図１３に示すのは、本考案のパレット梱包装置である。それに含まれるのは機械１０、第一導引裝置２０、第二導引裝置３０及び延出構造４０である。
【００２３】
前記機械１０に含まれるのは一つの水平コンベアー１１、一つの垂直枠部１２、一つの第一枢接部１３及び一つの第二枢接部１４である。該水平コンベアー１１に複数の水平ローラー１１１及び下バンドガイド部１１２を設け、該垂直枠部１２には上バンドガイド部１２１を設ける。
【００２４】
前記第一導引装置２０に含まれるのは第一フレーム部２１、第一バンドガイド部２２及び第一駆動部２３である。
該第一フレーム部２１は一端を上記機械１０の第一枢接部１３に枢設し、該第一バンドガイド部２２は該第一フレーム２１の他端に設ける。
該第一駆動部２３は該機械１０と該第一フレーム部２１の別端に枢接し、該第一枢接部１３を軸心として、該第一フレーム部２１を少なくとも第一位置Ｐ１及び第二位置Ｐ２の間で回動可能とする。
該第一位置Ｐ１に位置するとき、該第一バンドガイド部２２は前記機械１０の水平コンベアー１１の下バンドガイド部１１２及び垂直枠部１２の上バンドガイド部１２１と連通する。
【００２５】
前記第二導引装置３０に含まれるのは第二フレーム部３１、第二バンドガイド部３２及び第二駆動部３３である。
該第二フレーム部３１は一端を前記機械１０の第二枢接部１４に枢設し、該第二バンドガイド部３２は該第二フレーム部３１の他端に設ける。
該第二駆動部３３は前記機械１０と該第二フレーム部３１の別端に枢接し、該第二枢接部１４を軸心として、該第二フレーム部３１を少なくとも第三位置Ｐ３及び第四位置Ｐ４の間を回動して移動可能とする。
該第三位置Ｐ３に位置するとき、該第二バンドガイド部３２は前記機械１０の水平コンベアー１１の下バンドガイド部１１２及び垂直枠部１２の上バンドガイド部１２１と連通する。
【００２６】
前記延出構造４０に含まれるのは伸縮制御部４１及び中央バンドガイド部４２である。該伸縮制御部４１は該中央バンドガイド部４２を制御するために用いるものであり、格納位置Ｐ５及び延出位置Ｐ６にまで移動する。
【００２７】
以上の構成により、該第一フレーム部２１が該第一位置Ｐ１に位置し、且つ該第二フレーム部３１が該第三位置Ｐ３に位置し、また該中央バンドガイド部４２が該格納位置Ｐ５に位置するとき、該下バンドガイド部１１２、該上バンドガイド部１２１、該第一バンドガイド部２２及び該第二バンドガイド部３２は互いに連通し、一つの第一バンドガイドループルートＬ１を形成する(図９及び図１０に示す通り)。
また、該第一フレーム部２１が該第二位置Ｐ２に位置し、該第二フレーム部３１が該第四位置Ｐ４に位置し、また該中央バンドガイド部４２が該延出位置Ｐ６に位置するとき、該上バンドガイド部１２１及び該中央バンドガイド部４２は互いに連通し、一つの第二バンドガイドループルートＬ２を形成する(図１３に示す通り)。
【００２８】
これらの操作において、上記第一フレーム部２１が上記第二位置Ｐ２に位置するとき、上記第一バンドガイド部２２は上記下バンドガイド部１１２と上バンドガイド部１２１との間から外れた位置にある。
【００２９】
また、上記第二フレーム部３１が上記第四位置Ｐ４に位置するとき、上記第二バンドガイド部３２は上記下バンドガイド部１１２と上バンドガイド部１２１との間から外れた位置にある。
【００３０】
該第一駆動部２３は電動ギアシリンダー、気圧シリンダー、プッシュプル駆動装置の中の一つを選択することができる。
【実施例２】
【００３１】
実施例２において、図４及び図５に示すように、該プッシュプル駆動装置に含まれるのは傾斜面部２３１、プッシュ部２３２及びリセット部２３３である。
該傾斜面部２３１は該中央バンドガイド部４２に連結し、且つ該中央バンドガイド部４２に隣接し、該機械１０の一端に面し、該プッシュ部２３２は該第一フレーム部２１に立設し、該リセット部２３３は該機械１０と該第一フレーム部２１を連結する。
【００３２】
それにより、該中央バンドガイド部４２が該格納位置Ｐ５から該延出位置Ｐ６に移動する過程において、該傾斜面部２３１は同時に該プッシュ部２３２を抵触して押し、該プッシュ部２３２は該第一フレーム部２１を連動して、該リセット部２３３の引張力に抗して第一フレーム部２１は該第三位置Ｐ３から該第四位置Ｐ４に移動する。
【００３３】
該中央バンドガイド部４２が該延出位置Ｐ６から該格納位置Ｐ５に移動する過程において、該傾斜面部２３１は同時に該プッシュ部２３２から離れると、該リセット部２３３の引張力により該第一フレーム部２１を引き戻し、該第一フレーム部２１は該第四位置Ｐ４から該第三位置Ｐ３に復帰する。
【００３４】
該リセット部２３３は伸長するスプリングとすることができる。
【００３５】
該第二駆動部３３は電動ギアシリンダー、気圧シリンダーのいずれかから選択することができる。
【００３６】
更に、図８に示すように、前記下バンドガイド部１１２、上バンドガイド部１２１、第一バンドガイド部２２、第二バンドガイド部３２及び中央バンドガイド部４２は、次の構造とすることができる。
【００３７】
バンドガイド底板Ａ、一対のＬ型保護板Ｂ、少なくとも一対の延長ボルトＣ及び少なくとも一対の弾性部品Ｄとから構成する。
【００３８】
上記一対の延長ボルトＣは、互いに相対する一対のＬ型保護板Ｂを該バンドガイド底板Ａの両サイドに螺設する。該一対のＬ型保護板Ｂの間に一つの開口Ｂ１を形成し、該少なくとも一対の弾性部品Ｄを互いに対応する該一対の延長ボルトＣに套設し、互いに対応する該一対のＬ型保護板Ｂを抵触して押圧する。
【００３９】
それにより、該一対のＬ型保護板Ｂ及び該バンドガイド底板Ａの間に一つの収納スペースＭを形成する。該収納スペースＭは該開口Ｂ１と連通し、梱包バンドＮが挿通し、該梱包バンドＮは該一対のＬ型保護板Ｂを押し広げることができ、該開口Ｂ１を通じて該収納スペースＭを出入りする。
【００４０】
公知のパレットは基本的に二種類に分けられ、第一種のパレット９０は図１４に示すように、頂板のみを設置し、第二種の該パレット９０は、該頂板９１及び一つの底板９２を設置する。
【００４１】
第一種のパレット９０で梱包を行うとき、前記第一フレーム部２１は第一位置Ｐ１に位置し、且つ該第二フレーム部３１は該第三位置Ｐ３に位置する。また、前記中央バンドガイド部４２は前記格納位置Ｐ５に位置する。
前記下バンドガイド部１１２、上バンドガイド部１２１、第一バンドガイド部２２及び第二バンドガイド部３２は互いに連通して第一バンドガイドループルートＬ１を形成し（図９及び図１０に示す通り）、パレット９０に対して梱包を行うことができる。
【００４２】
第二種のパレット９０で梱包を行うとき、前記第一フレーム部２１は前記第二位置Ｐ２に位置し、且つ前記二フレーム部３１は前記第四位置Ｐ４に位置する。また、前記中央バンドガイド部４２は前記延出位置Ｐ６に位置する。
前記上バンドガイド部１２１及び該中央バンドガイド部４２は互いに連通し、第二バンドガイドループルートＬ２を形成する（図１３に示す通り）。この時、前記中央バンドガイド部４２は前記頂板９１及び底板９２の間にある前記延出位置Ｐ６に進入して、該パレット９０に対して梱包を行う。
【００４３】
本考案のメリット及び機能は下記の通りである。
【００４４】
〔１]  異なるパレットに対し、異なるルートに切り替えて梱包を行うことができる。本考案が対応するのは、頂板のみを設ける第一種のパレットと、頂板及び底板を設ける第二種のパレットである。それぞれ第一バンドガイドループルート及び、第二バンドガイドループルートに調整し、いずれも梱包を行うことができる。よって、異なるパレットに対し、異なるルートに切り替えて梱包を行うことができる。
【００４５】
〔２]  パレットを機械から積載し直さずに切り替えることができるため大変便利である。本考案は機械の上に第一、第二枢接部を設置するのみ、且つ対応して第一、第二導引部を設置する。また、延出構造に合わせ、パレットを機械に載置し直さない状態において、直接切り替えを行うことができる。このように、異なる種類のパレットは一つの梱包の流れの中に混在して梱包作業を行うことができるため、大変便利である。よって、パレットを機械から積載し直さずに切り替えることができ、大変便利である。
【００４６】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００４７】
１０  機械                  
１１  水平コンベアー
１１１  水平ローラー             
１１２  下バンドガイド部
１２  垂直枠部              
１２１  上バンドガイド部
１３  第一枢接部            
１４  第二枢接部
２０  第一導引裝置          
２１  第一フレーム部
２２  第一バンドガイド部            
２３  第一駆動部
２３１  傾斜面部             
２３２  プッシュ部
２３３  リセット部               
３０  第二導引裝置
３１  第二フレーム部            
３２  第二バンドガイド部
３３  第二駆動部            
４０  延出構造
４１  伸縮制御部            
４２  中央バンドガイド部
８０  梱包機装置            
８１  バンド供給部
８２  バンドガイドフレーム              
８３  搬送ローラー部
８４  スライダーユニット              
８４１  スライダー
８４２  駆動部               
８４３  駆動棒
８４４  スライド台                 
８５  バンドガイド延伸部
９０  パレット              
９１  頂板
９２  底板                  
９３  中央スペース
Ａ  バンドガイド底板               
Ｂ  Ｌ型保護板
Ｂ１  開口                 
Ｃ  延長ボルト
Ｄ  弾性部品                 
Ｍ  収納スペース
Ｎ  梱包バンド                 
Ｐ１  第一位置
Ｐ２  第二位置              
Ｐ３  第三位置
Ｐ４  第四位置              
Ｐ５  格納位置
Ｐ６  延出位置              
Ｌ１  第一バンドガイドループルート
Ｌ２  第二バンドガイドループルート      
Ｋ１  通常の引締め形態
Ｋ２  板下引締め形態          
Ｋ３  挿通引締め形態
【図１】
0003228585.tif 000003
【図２】
0003228585.tif 000004
【図３】
0003228585.tif 000005
【図４】
0003228585.tif 000006
【図５】
0003228585.tif 000007
【図６】
0003228585.tif 000008
【図７】
0003228585.tif 000009
【図８】
0003228585.tif 000010
【図９】
0003228585.tif 000011
【図１０】
0003228585.tif 000012
【図１１】
0003228585.tif 000013
【図１２】
0003228585.tif 000014
【図１３】
0003228585.tif 000015
【図１４】
0003228585.tif 000016
【図１５】
0003228585.tif 000017
【図１６】
0003228585.tif 000018
【手続補正書】
【提出日】令和2年7月30日(2020.7.30)
【手続補正１】
【補正対象書類名】実用新案登録請求の範囲
【補正対象項目名】全文
【補正方法】変更
【補正の内容】
【実用新案登録請求の範囲】
【請求項１】
機械、第一導引裝置、第二導引裝置及び延出構造を含み、
上記機械に含まれるのは水平コンベアー、垂直枠部、第一枢接部及び第二枢接部であって、
該水平コンベアーに複数の水平ローラー及び下バンドガイド部を設けると共に該垂直枠部には上バンドガイド部を設け、
上記第一導引装置には、第一フレーム部、第一バンドガイド部及び第一駆動部を設けて、該第一フレーム部は一端を上記機械の第一枢接部に枢設すると共に該第一フレーム他端に第一バンドガイド部に設け、該第一駆動部を上記機械と該第一フレーム部の別端に枢接して該第一フレーム部を該第一枢接部を軸心として第一位置及び第二位置の間で回動可能とすることにより、該第一位置に位置するとき、該第一バンドガイド部は該下バンドガイド部及び該上バンドガイド部と連通させ、
上記第二導引装置には、第二フレーム部、第二バンドガイド部及び第二駆動部を設けて、該第二フレーム部は一端を上記機械の第二枢接部に枢設すると共に該第二フレーム部他端に該第二バンドガイド部を設け、該第二駆動部を上記機械と該第二フレーム部の別端に枢接して該第二枢接部を軸心として第二フレーム部を第三位置及び第四位置の間で回動可能とすることにより、該第三位置に位置するとき、該第二バンドガイド部は該下バンドガイド部及び該上バンドガイド部と連通させ、
上記延出構造は、中央バンドガイド部及び該中央バンドガイド部を格納位置と中央の梱包する延出位置まで進退させる伸縮制御部を備え、
以上の構成により、上記第一フレーム部が第一位置に位置し、且つ第二フレーム部が第三位置に位置し、また該中央バンドガイド部が格納位置に位置するとき、下バンドガイド部、上バンドガイド部、第一バンドガイド部及び第二バンドガイド部は互いに連通して第一バンドガイドループルートを形成し、
該第一フレーム部が第二位置に位置し、第二フレーム部が第四位置に位置し、また中央バンドガイド部が延出位置に位置するとき、上バンドガイド部及び中央バンドガイド部は互いに連通して第二バンドガイドループルートを形成することを特徴とするパレット梱包装置の構造。
【請求項２】
前記第一フレーム部が第二位置に位置するとき、上記第一バンドガイド部は下バンドガイド部と上バンドガイド部との間から外れた位置にあり、
該第二フレーム部が該第四位置に位置するとき、該第二バンドガイド部は該下バンドガイド部と該上バンドガイド部との間から外れた位置にあることを特徴とする請求項１記載のパレット梱包装置の構造。
【請求項３】
前記該第一駆動部は電動ギアシリンダー、又は気圧シリンダーを備えたプッシュプル駆動装置であり、
該プッシュプル駆動装置に含まれるのは傾斜面部、プッシュ部及びリセット部であり、該傾斜面部は前記中央バンドガイド部に連結し、且つ中央バンドガイド部に隣接して前記機械の一端に面し、該プッシュ部は前記第一フレーム部に立設し、該リセット部は該機械と該第一フレーム部を連結し、
以上の構成により、該中央バンドガイド部が該格納位置から該延出位置に移動する過程において、該傾斜面部は同時に該プッシュ部を抵触して押し、該プッシュ部は該第一フレーム部を連動して、該第一フレーム部は該リセット部の引張力に抗して該第三位置から該第四位置に移動し、
該中央バンドガイド部が該延出位置から該格納位置に移動する過程において、該傾斜面部は同時に該プッシュ部から離れ、該リセット部の引張力により該第一フレーム部が引き戻されて該第四位置から該第三位置に復帰することを特徴とする請求項１記載のパレット梱包装置の構造。
【請求項４】
前記該リセット部は、伸長するスプリングとしたことを特徴とする請求項１記載のパレット梱包装置の構造。
【請求項５】
前記該第二駆動部は電動ギアシリンダー、気圧シリンダーのいずれかであることを特徴とする請求項１記載のパレット梱包装置の構造。